(57)【要約】【課題】電気掃除機で掃除中に、容易に取り外して箒として用いることができる掃除機取付用ブラケット付箒を提供する。【解決手段】電気掃除機１０の掃除機本体１２に接続され、先端に吸込み口１８が接続された剛性柄部１６の外面の長手方向に沿って取り付けられる２個以上のブラケット２と、ブラケットの可撓性チャック２ａに着脱自在に取り付けられ、剛性柄部の長さより短い箒柄４ｂと箒柄の先端に接続され吸込み口より幅狭の箒部４ａとからなる箒４を備え、可撓性チャックは、箒柄の直径より小さい２本のアーム部を有し、アーム部に箒柄を押圧したときに撓み、該アーム部を乗り越えた箒柄が前記可撓性チャック内に保持されるようになっている掃除機取付用ブラケット付箒６である。【選択図】図１
2010136850.tif 000002
【特許請求の範囲】
【請求項１】
電気掃除機の掃除機本体に接続され、先端に吸込み口が接続された剛性柄部の外面の長手方向に沿って取り付けられる２個以上のブラケットと、
前記ブラケットの可撓性チャックに着脱自在に取り付けられ、前記剛性柄部の長さより短い箒柄と、前記箒柄の先端に接続され、前記吸込み口より幅狭の箒部とからなる箒とを備え、
前記可撓性チャックは、前記箒柄の直径より小さい２本のアーム部を有し、該アーム部に前記箒柄を押圧したときに該アーム部が撓み、該アーム部を乗り越えた前記箒柄が前記可撓性チャック内に保持されるようになっている掃除機取付用ブラケット付箒。
【請求項２】
前記ブラケットの基部に締め付けバンドが接続され、該締め付けバンドで前記剛性柄部の外面を緊縛可能になっている請求項１記載の掃除機取付用ブラケット付箒。
【発明の詳細な説明】
【技術分野】
【０００１】
本発明は、柄付きの箒に関する。
【背景技術】
【０００２】
電気掃除機は、各種掃除を行うために普及しているが、電動送風機を有する掃除機本体が重く、取り回しが不便であるため、箒やブラシのように使い勝手に優れるとはいえない。そこで、掃除機をほうき形状に近づけたものが開発されている（特許文献１、２参照）。
【０００３】
【特許文献１】特開平9-308597号公報
【特許文献２】特開2004-313249号公報
【発明の開示】
【発明が解決しようとする課題】
【０００４】
しかしながら、上記した特許文献１、２記載の技術の場合も、電気掃除機であるために重く、取り回しが容易とはいえない。例えば、家具の間の狭い隙間に容易に移動させるのは難しい。
本発明は上記の課題を解決するためになされたものであり、電気掃除機で掃除中に、容易に取り外して箒として用いることができる掃除機取付用ブラケット付箒の提供を目的とする。
【課題を解決するための手段】
【０００５】
上記の目的を達成するために、本発明の掃除機取付用ブラケット付箒は、電気掃除機の掃除機本体に接続され、先端に吸込み口が接続された剛性柄部の外面の長手方向に沿って取り付けられる２個以上のブラケットと、前記ブラケットの可撓性チャックに着脱自在に取り付けられ、前記剛性柄部の長さより短い箒柄と、前記箒柄の先端に接続され、前記吸込み口より幅狭の箒部とからなる箒とを備え、前記可撓性チャックは、前記箒柄の直径より小さい２本のアーム部を有し、該アーム部に前記箒柄を押圧したときに該アーム部が撓み、該アーム部を乗り越えた前記箒柄が前記可撓性チャック内に保持されるようになっている。
【０００６】
前記ブラケットの基部に締め付けバンドが接続され、該締め付けバンドで前記剛性柄部の外面を緊縛可能になっていてもよい。
【発明の効果】
【０００７】
本発明によれば、電気掃除機で掃除中に、容易に取り外して箒として用いることができ、掃除作業の効率が向上する。
【発明を実施するための最良の形態】
【０００８】
以下、本発明の実施形態について、図面を参照して説明する。図１は、本発明の実施形態にかかるブラケット付箒を電気掃除機に取り付けた状態を示す図である。電気掃除機１０は、掃除機本体１２と、吸引ホース１４を介して掃除機本体１２に接続された剛性柄部１６と、剛性柄部１６先端に接続された吸込み口１８とを有する。掃除機本体１２は電動送風機、及び集塵室（袋）を有する。剛性柄部１６は掃除の際に操作者が把持するものであり、剛性柄部１６には操作部１７が設けられ、掃除機本体１２の運転を操作する。
ここで、吸引ホース１４は可撓性であるが、剛性柄部１６は変形しない。
【０００９】
ブラケット付箒６は、２個のブラケット２と、箒部４とを備え、ブラケット２は剛性柄部１６の外面の長手方向に沿って取り付けられている。箒部４は、細長い箒柄４ｂと、箒柄４ｂの先端に設けられた箒部４ａとを備えている。箒柄４ｂは、ブラケット２の図示しない可撓性チャックに着脱自在に取り付けられ、箒柄４ｂが剛性柄部１６に平行になっている。
又、箒柄４ｂは剛性柄部１６の長さより短くなっているため、吸引ホース１４が撓んでも箒柄４ｂと干渉することがなく、必要なときに容易に箒柄４ｂを取り外して使用できる。又、箒部４ａは吸込み口１８より幅狭になっているため、吸込み口１８が入らない狭い隙間等に容易に箒部４ａを差し入れて掃除することができる。
【００１０】
図２は、ブラケット付箒が取り付けられた剛性柄部１６近傍を示す斜視図である。ブラケット２は、箒柄４ｂを保持するための可撓性チャック２ａと、可撓性チャック２ａから延びる柱部２ｃと、柱部２ｃの底部に形成されたフランジ状の基部２ｂとを備えている。基部２ｂと剛性柄部１６外面との間には粘着性ゴムシート７が介装されている。又、基部２ｂに締め付けバンド５が接続され、締め付けバンド５で剛性柄部１６の外面にブラケット２を緊縛可能になっている。
又、箒部４ａの幅Ｌ１は吸込み口１８の幅Ｌ２より狭くなっている。
【００１１】
図３は、剛性柄部１６の軸方向から見たときのブラケット２の構造を示す図である。略Ｕ字状の可撓性チャック２ａは、それぞれＵ字を構成する２本のアーム部２ｆを有し、２本のアーム部２ｆの基部が一体化して柱部２ｃに接続されている。可撓性チャック２ａは、アーム部２ｆより下側で最も膨らみ、箒柄４ｂの直径ｒ２と等しい径になっている。一方、アーム部２ｆの先端同士の間隔ｒ１はｒ２より狭い。
従って、アーム部２ｆに箒柄４ｂを押圧したときにアーム部２ｆが撓んで箒柄４ｂがアーム部２ｆを乗り越え、可撓性チャック２ａの内部（直径ｒ２の部分）に保持されるようになっている。これにより、可撓性チャック２ａへの箒柄４ｂの着脱が容易になり、電気掃除機１０で掃除中に、箒４を取り外して使用し易い。
なお、この実施形態では、ブラケット２はプラスチック製であり、２本のアーム部２ｆが撓むようになっている。
【００１２】
本発明は上記実施形態に限定されない。例えば、ブラケット２は、金属板で形成してもよい。又、箒部としては、例えばブラシ状、筆状、刷毛状等の公知の形状のものを用いることができる。
又、電気掃除機としては、吸引ホースを有さずに掃除機本体に直接剛性柄部が接続されたタイプ（例えば、コードレス掃除機）にも本発明を適用できる。
【図面の簡単な説明】
【００１３】
【図１】本発明の実施形態に係るブラケット付箒を電気掃除機に取り付けた状態を示す図である。
【図２】ブラケット付箒が取り付けられた剛性柄部近傍を示す斜視図である。
【図３】剛性柄部の軸方向から見たときのブラケットの構造を示す図である。
【符号の説明】
【００１４】
２                          ブラケット
４                          箒
４ａ                        箒部
４ｂ                        箒柄
６                          ブラケット付箒
１０                        電気掃除機
１２                        掃除機本体
１６                        剛性柄部
１８                        吸込み口
【図１】
2010136850.tif 000003
【図２】
2010136850.tif 000004
【図３】
2010136850.tif 000005